(57)【要約】      （修正有）【課題】小さく、かつ確実な長時間動作を保証するためにできるだけ消耗を少なくして動作する、スイッチ装置を提供する。【解決手段】スイッチ装置は、ハウジング１３が、構成部分の揺動移動のために手動で操作可能な揺動部材の少なくとも一部であり、同時にスイッチ装置１０のための操作部材の少なくとも一部であり、スイッチ装置１０が、接点支持体を有し、この接点支持体が、複数の接点１７，１８，１９を含む接点セット１２を支持しており、接点１７，１８，１９が、一方において装置内に存在する回路支持体の導体路に接触するために構成されており、接点１７，１８，１９が、他方においてスイッチカム３１，３２によって作用するために構成されており、接点支持体が、空間に固定的に装置内に支持されており、かつスイッチカム３１，３２が、運動ユニットとして操作部材１３に結合されている。【選択図】図３
2004179145.tif 000002
【特許請求の範囲】
【請求項１】
少なくとも軸線（Ｌ）の回りに揺動可能に配置された電子構成部分のハウジングのためのスイッチ装置（１０）、とくに移動電話、ＰＤＡ、パームトップ、ラップトップ等のような装置内に揺動可能に配置されかつそのレンズ又はセンサが軸線（Ｌ）の回りにおいて揺動可能なハウジング内に配置されたカメラモジュールのためのスイッチ装置において、
ハウジング（１３）が、構成部分の揺動移動のために手動で操作可能な揺動部材の少なくとも一部であり、
ハウジング（１３）が、同時にスイッチ装置（１０）のための操作部材の少なくとも一部であり、
スイッチ装置（１０）が、接点支持体（１１）を有し、この接点支持体が、複数の接点（１７，１８，１９）を含む接点セット（１２）を支持しており、
接点（１７，１８，１９）が、一方において装置内に存在する回路支持体の導体路に接触するために構成されており、
接点（１７，１８，１９）が、他方においてスイッチカム（３１，３２）によって作用するために構成されており、
接点支持体（１１）が、空間に固定的に装置内に支持されており、かつ
スイッチカム（３１，３２）が、運動ユニットとして操作部材（１３）に結合されている
ことを特徴とする、少なくとも軸線（Ｌ）の回りに揺動可能に配置された電子構成部分のハウジングのためのスイッチ装置（１０）。
【請求項２】
接点支持体（１１）にリング部材（１５）が付属しており、このリング部材が、操作部材（１３）のための回転支持体を形成することを特徴とする、請求項１に記載のスイッチ装置。
【請求項３】
接点支持体（１１）及びリング部材（１５）が、材料ユニットとして材料結合された構成部分を形成していることを特徴とする、請求項２に記載のスイッチ装置。
【請求項４】
スイッチカム（３１，３２）が、材料ユニットとして材料結合されて操作部材（１３）に結合されていることを特徴とする、請求項１ないし３の１つに記載のスイッチ装置。
【請求項５】
接点（１７，１８，１９）が、とくに接点支持体（１１）から側方に出てかつ回路支持体に接触するために使われるそれぞれ１つのばね片（２０）を有することを特徴とする、請求項１に記載のスイッチ装置。
【請求項６】
少なくともいくつか（１７，１９）の接点（１７，１８，１９）が、それぞれ１つのスイッチ区間（２１，２２）を有し、このスイッチ区間が、所属のスイッチカム（３１，３２）の外周に配置されていることを特徴とする、請求項１又は５に記載のスイッチ装置。
【請求項７】
少なくとも１つ（１８）の接点（１７，１８，１９）が、ブリッジ接点として形成されていることを特徴とする、請求項１ないし４の１つに記載のスイッチ装置。
【請求項８】
接点セット（１２）が３つの接点ばね（１７，１８，１９）を含み、これらの接点ばねのうちの１つ（１８）が、ブリッジ接点として形成されていることを特徴とする、請求項５ないし７の１つに記載のスイッチ装置。
【請求項９】
ブリッジ接点（１８）がブリッジフォークを形成しており、このブリッジフォークのフォーク脚（２３，２４）が、別の両方の接点（１７，１９）に接触するように配置されていることを特徴とする、請求項７又は８に記載のスイッチ装置。
【請求項１０】
いくつかの又はすべての接点（１７，１８，１９）が、弾性的に初応力を受けた接点として接点支持体（１１）内に配置されていることを特徴とする、請求項７ないし９の１つに記載のスイッチ装置。
【請求項１１】
位置決めカム又は位置決めノッチ（３８）と共同作用する追加的な係止ばね（３９）が設けられていることを特徴とする、請求項１ないし６の１つに記載のスイッチ装置。
【請求項１２】
位置決めカム又は位置決めノッチ（３８）が、材料ユニットとして材料結合して操作部材（１３）に結合されていることを特徴とする、請求項１１に記載のスイッチ装置。
【発明の詳細な説明】
【０００１】
【発明の属する技術分野】
本発明は、少なくとも軸線の回りに揺動可能に配置された電子構成部分のハウジングのためのスイッチ装置、とくに移動電話、ＰＤＡ、パームトップ、ラップトップ等のような装置内に揺動可能に配置されかつそのレンズ又はセンサが軸線の回りにおいて揺動可能なハウジング内に配置されたカメラモジュールのためのスイッチ装置に関する。
【０００２】
【従来の技術】
現代の移動電話は、ますますカメラを装備し、これらのカメラは、追加装置として電話ハウジングに差込まれるか（例えば：モトローラＡ８２０）、又は電話に統合することもできる。その間にノートブックコンピュータが提供されており（ソニー、Ｖａｉｏ  Ｃ１ＭＨＰ）、ここでは蓋の狭い前側に、ＣＣＤカメラが組込まれている。
【０００３】
カメラの目の種々の配向を調節できるようにするために、カメラのレンズ又はセンサを含むハウジングは、ノートブックの場合、１８０°だけ揺動可能に配置されている。カメラの揺動能力に基づいて、例えば機能“ウエブカム”において彼の自身の画像を送信すること、又はほぼ利用者に対向している人を撮影することが可能である。１８０°だけカメラを回転する際に、画像は逆さまになるので、電子的に相応して合わせなければならない。そのためにスイッチ装置のスイッチ過程が必要である。その他の点において第１のスイッチの要求は、カメラの投入及び遮断である。
【０００４】
【発明が解決しようとする課題】
本発明の課題は、前記の目的のためであるが、電子構成部分を含む装置（部分）を揺動し又は回転するその他の用途のためにも、かなり小型化された装置内にも問題なく組込むことができるようにするためにきわめて小さく構成することができ、かつ確実な長時間動作を保証するためにできるだけ消耗を少なくして動作する、スイッチ装置を提供することにある。
【０００５】
【課題を解決するための手段】
本発明は、課題を大体において特許請求の範囲第１項の特徴によって解決し、かつそれに相応して次のような特徴によって特徴づけられている。
ハウジングが、構成部分の揺動移動のためにとくに手動で操作可能な揺動部材の少なくとも一部であり、
ハウジングが、同時に、スイッチ装置のための操作部材の少なくとも一部であり、
スイッチ装置が、接点支持体を有し、この接点支持体が、複数の接点を含む接点セットを支持しており、
接点が、一方において装置内に存在する回路支持体の導体路に接触するために構成されており、
接点が、他方においてスイッチカムにより作用するために構成されており、
接点支持体が、空間に固定的に装置内に支持されており、かつ
スイッチカムが、運動ユニットとして操作部材に結合されている。
【０００６】
本発明の重要な核心は、一方において電子構成部分のハウジング（又はハウジング部分）が、同時にスイッチ装置のための操作部材であることにあり、かつ他方においてスイッチ装置の接点が、操作部材に結合されたカムによって実質的に消耗なく操作され、かつスイッチ装置が摺動接点を持たないことにある。
【０００７】
本発明の有利な構成において、接点支持体にリング部材が付属しており、このリング部材は、操作部材のための回転支持体を形成する。その際、接点支持体及びリング部材は、材料ユニットとして材料結合された構成部分を形成している。それにより少なくとも１つの接点セットを保持するその当初の機能の他に、なお回転又は揺動可能なハウジング／操作部材のための支持機能も配慮する。
【０００８】
構造的な簡単化のために、さらに本発明は、スイッチカムが、材料ユニットとして材料結合されて操作部材に結合できることを考慮している。
【０００９】
装置の回路支持体、例えばプリント板に対するスイッチ装置の簡単かつコンパクトな対応は、本発明の別の特徴にしたがって次のようにして達成される。すなわち接点が、とくに接点支持体から側方に出てかつ回路支持体に接触するために使われるそれぞれ１つのばね片を有する。
【００１０】
少なくともいくつかの接点は、それぞれ１つのスイッチ区間を有し、このスイッチ区間が、所属のスイッチカムの外周に配置されているので、このスイッチ区間は、このスイッチカムによって直接作用を受けることができ、このことは、同様にスイッチ装置をコンパクトにすることに貢献する。
【００１１】
少なくとも１つの接点が、ブリッジ接点として形成されていると、とくに有利である。ブリッジ接点がブリッジフォークを形成しており、このブリッジフォークのフォーク脚が、別の両方の接点に接触するように配置されていると、簡単なブリッジ接続が達成できる。
【００１２】
接点のうち１つがブリッジ接点として形成された例えば３つの接点を有する接点セットにおいて、４つのスイッチ位置を作り出すことができる。例として、両方の接点はブリッジ接続されない−接点１は接点２にブリッジ接続される−接点２は接点３にブリッジ接続される−接点１及び接点３は接点２にブリッジ接続される。本発明の実際の構成において、少なくとも２つの接点を設けることができ、最大数は、必要なスイッチ過程に応じて変化することができる。したがって４つ又はそれ以上の接点を設けることもできる。
【００１３】
高い接点の確実性及び品質に関連して、スイッチ装置をコンパクトにするために、いくつかの又はすべての接点が、弾性的に初応力を受けた接点として接点支持体内に配置されていることにある本発明の別の特徴は重要である。接触のために小さな力ですでに十分であり、かつとりわけ接点を操作するため、及び十分に大きな接点力を保証するために、きわめて短い操作行程だけでも十分である。初応力に基づいて、接触は、外部の振動及び揺動に対しても影響を受けない。
【００１４】
スイッチ装置の操作の際に個々のスイッチ位置を確実に達成するために、かつ場合によってはこれらのスイッチ位置を触覚的にも信号通知するために、位置決めカム又は位置決めノッチと共同作用する追加的な係止ばねが設けられていると有利である。位置決めカム又はノッチは、なるべく材料ユニットとして材料結合して操作部材に結合されている。
【００１５】
【発明の実施の形態】
その他の点において本発明は、図面に示された実施例を引用する次のその説明によってもっとも良好に明らかになる。
【００１６】
全体に１０によって示されたスイッチ装置は、主要構成部分として、接点セット１２を有する接点支持体１１及びスイッチ操作部材１３を含む。
【００１７】
それ自体かつ拡大してとくに明確に図５に示された接点支持体１１は、通常合成物質から射出成形部分として製造される絶縁材料部材１４からなり、この絶縁材料部材は、ここでは主としてリング部材１５の形になって存在する。１６によって示されているがなるべく材料ユニットとして材料結合されてリング部材１５に結合された“取り付け物”は、接点セット１２の接点を支持している。本実施例において、接点セット１２は３つの接点１７、１８及び１９を含む。これらそれぞれの接点１７ないし１９は、スイッチ装置が装備した装置における図示しない回路支持体の導体路に接触するために、ばね片２０を有する。とくに図５が示すように、これらのばね片２０は、本実施例において同じ長さであり、接点支持体１１から側方に突出しており、かつ曲げられた接触端部を有し、これらの接触端部は、すべて−図示したように−なるべく同じ平面内に配置されている。
【００１８】
接点セット１２の両方の外側接点１７及び１９は、ばね片２０にそれぞれ対向するその端部に、操作又はスイッチ区間２１又は２２を有する。中央の接点１８は、フォーク接点として形成されている。その両方のフォーク脚２３及び２４は、とくに図２がはっきりと示すように、接点１７及び１９のスイッチ区間２１及び２２の上方に一直線上にある。
【００１９】
なるべく接点１７及び１９のスイッチ区間２１及び２２、及びブリッジ接点１８のフォーク脚２３及び２４は、初応力を受けており、しかも例えば図２に関して下方に、したがってほぼ半径方向にスイッチ装置１０の長手軸線Ｌに向かって初応力を受けている。したがってフォーク脚２３及び２４の自由端は、その加えられたばね初応力の作用を受けて、接点支持体１１の支持台面２５に支持されている。
【００２０】
接点支持体１１の完全な説明のために、なおその絶縁材料部材１４に、装置に又は装置のプリント板上にも一緒に接点支持体１１をねじ又はリベット取付けするために、取付け穴２６が一体形成されていることを述べておく。
【００２１】
スイッチ装置１０の別の重要な構成部分は、初めに述べた操作部材１３である。ここにおいて同時に、図示しない電子構成要素のための一本実施例においてカメラのためのハウジング又はハウジング部分２７が問題になっている。ハウジング部分２７内にカメラ開口２８が示されており、このカメラ開口内にレンズ又はＣＣＤセンサが挿入される。カメラ開口の配置範囲において、ハウジング２７は半シェル状に形成されている。接点支持体１１に向かってかなりの程度まで円筒形に構成され、しかも２９によって示されるリング肩部から円筒状に構成されている。リング肩部２９の後においてハウジング２７は、大体において円筒形の突起３０を有し、この突起は、２つのスイッチカム３１及び３２を有する。
【００２２】
スイッチカム３１は、接点ばね１７のスイッチ区間２１と同じ半径方向平面内に設けられており、かつスイッチカム３２は、接点ばね１９のスイッチ区間２２の平面内に設けられている。したがってハウジングを揺動又は回転した場合に、このハウジングに回らないように結合されたカム３１及び３２が、所定の−互いに同調した−角度範囲において、接点ばね１７及び１９の両方のスイッチ区間２１及び２２に作用することができないか、接点又は接点ばね１７のスイッチ区間２１又は接点ばね１９のスイッチ区間２２の両方又は一方に作用することができることは明らかである。
【００２３】
スイッチ区間２１及び／又は２２が所属のカム３１及び３２によって作用を受けるとき、これは、スイッチ区間２１がブリッジ接点１８のフォーク脚２３に及び／又はスイッチ区間２２がフォーク脚２４に接触する目的で、大体において半径方向外方に行なわれる。
【００２４】
したがってそのうち接点１８がブリッジ接点である説明した実施例において存在する３つの接点１７、１８及び１９によって、次のスイッチ状態を達成することができる。
−両方の接点１７及び１９はブリッジ接続されず、
−接点１７は接点１８にブリッジ接続され、
−接点１９は接点１８にブリッジ接続され、
−接点１７及び接点１９は接点１８にブリッジ接続される。
【００２５】
したがって移動電話又はコンピュータにおいて軸線Ｌの回りに揺動可能に配置されたカメラに本発明によるスイッチ装置を適用する際に、例えば重要な位置、オフ、オン、画像整列正常、画像整列反転を切換えることができる。
【００２６】
これらの種々のスイッチ位置は、それぞれほぼ９０°の周方向角度移動の際に行なわれる。オフ位置においてカメラ開口２８は、装置内に向いていることができ、したがって外方から見ることができず、したがって保護して配置することができる。第２の位置は、それに対して９０°だけ回転した前方への視線方向である。さらに９０°だけ画像反転を開始することができる。
【００２７】
本実施例において、接点支持体１１に対して相対的に装置の長手軸線Ｌの回りにおいてハウジング２７を回転又は揺動することができる周方向角度は、ほぼ２７０°である。ハウジング部分２７の円筒形突起３０に半径方向に突出したカム３３がストッパとして設けられていることは、図５から明らかである。接点支持体１１内における周方向溝の３４によって示された第１の側面は、その反対に向いた接点支持体１１の面３５と一緒になって、第１の回転運動ストッパとして使われ、対向する側面３６は、３７によって示す対向面とともに第２の端部ストッパとして使われる。
【００２８】
個々のスイッチ位置の機械的な係止を達成するために、なお追加カム３８が設けられており、この追加カムは、凸状の凹所として、ハウジング２７の円筒形突起３０の表面に形成されている。このカム３８は、追加的な係止ばね３９と共同作用し。この係止ばねは、電気的な機能を持たず、かつブリッジ接点１８の下の接点１７と１９との間において、接点１７及び１９の両方のスイッチ区間２１及び２２の間の範囲に配置されている（とくに図２から明確にわかる）。
【００２９】
最終的な理解のために、なお次のことを述べておく。ハウジング部分１３の円筒形突起３０の接点支持体側の端部は、接点支持体の外側に配置された周方向溝４０を有する。この溝４０は、突起３０と接点支持体１１との間の軸線方向固定のために安全リングを収容するために使われる。長さ公差補償のために、安全リングに加えてなお波形リングを溝４０内に挿入することができる。
【図面の簡単な説明】
【図１】スイッチ装置の主要部分の斜視図である。
【図２】接点ばねのスイッチ区間の配置範囲において図１のスイッチ装置を拡大して示す詳細図である。
【図３】図１に相当するが大体において反対方向から見た図である。
【図４】図２と類似であるがこれとは別の視角から考察した拡大して示す詳細図である。
【図５】３つの接点を有する接点セットを備えたスイッチ装置の接点支持体の斜視端面図である。
【図６】図３における切断表示ＶＩ−ＶＩに相当するスイッチ装置の長手断面図である。
【図７】接点の配置範囲における拡大して示す詳細図である。
【符号の説明】
１０  スイッチ装置
１１  接点支持体
１２  接点セット
１３  ハウジング
１５  リング部材
１７  接点
１８  接点
１９  接点
２０  ばね片
２１  スイッチ区間
２２  スイッチ区間
２３  フォーク脚
２４  フォーク脚
３１  スイッチカム
３２  スイッチカム
３８  位置決めノッチ
３９  係止ばね
Ｌ    軸線
【図１】
2004179145.tif 000003
【図２】
2004179145.tif 000004
【図３】
2004179145.tif 000005
【図４】
2004179145.tif 000006
【図５】
2004179145.tif 000007
【図６】
2004179145.tif 000008
【図７】
2004179145.tif 000009